(57)【要約】【課題】枠組壁構造による建物に対応できる増築工法を提供する。【解決手段】枠組壁構造による建物１の既存の壁面としての１階の壁パネル１１に増築部２と連通する開口部１３を設けるに際して、建物１の増築部２の地盤に追加の基礎４を既存の基礎３と連続させて打設し、追加の基礎４上に２つの鉛直部材としての袖壁パネル枠材１０，１０を立設し、これらの袖壁パネル枠材１０，１０間に水平部材としての構造梁９を架設して支持させるとともに、構造梁９を建物１の開口部１３となる部分の上部としての２階の床枠材１２ｂに固定してから、開口部１３を設け、建物１の増築を進める。【選択図】図５
2010159598.tif 000002
【特許請求の範囲】
【請求項１】
枠組壁構造による建物の増築工法であって、
前記建物の既存の壁面に増築部と連通する開口部を設けるに際して、前記建物の増築部の地盤に追加の基礎を既存の基礎と連続させて打設し、前記追加の基礎上に少なくとも２つの鉛直部材を立設し、これらの鉛直部材間に水平部材を架設して支持させるとともに、該水平部材を前記建物の前記開口部となる部分の上部に固定してから、前記開口部を設けることを特徴とする枠組壁構造による建物の増築工法。
【請求項２】
前記追加の基礎の打設後に、該追加の基礎の上面に床パネル枠材を設置し、該床パネル枠材の上面に前記鉛直部材を立設することを特徴とする請求項１に記載の枠組壁構造による建物の増築工法。
【請求項３】
前記鉛直部材は、袖壁パネル枠材であることを特徴とする請求項１又は２に記載の枠組壁構造による建物の増築工法。
【請求項４】
前記水平部材は、構造梁であることを特徴とする請求項１乃至３のいずれか１項に記載の枠組壁構造による建物の増築工法。
【発明の詳細な説明】
【技術分野】
【０００１】
本発明は、枠組壁構造による建物の増築工法に関するものである。
【背景技術】
【０００２】
近年、建物の耐久性が向上し、建物を世代間にわたって共有できるなどの理由により、建物を増築することが多くなされている。
【０００３】
こうしたことから、様々な建物の増築工法が提案されている（例えば特許文献１等を参照）。
【先行技術文献】
【特許文献】
【０００４】
【特許文献１】特開平０６−５７９６６号公報
【発明の概要】
【発明が解決しようとする課題】
【０００５】
しかしながら、こうした従来の建物の増築工法は、対象となる建物が、主に柱梁で建物本体の荷重を支える軸組構造による建物であった。
【０００６】
一方で、主に壁で建物本体の荷重を支える枠組壁構造による建物（所謂ツーバイフォー建物）が、軸組構造による建物に比べて、耐震性能に優れるなどの利点から多く実施されている。
【０００７】
それにもかかわらず、この枠組壁構造による建物に対応できる増築工法は見聞しない。
【０００８】
そこで、本発明は、枠組壁構造による建物に対応できる増築工法を提供することを目的としている。
【課題を解決するための手段】
【０００９】
前記目的を達成するために、本発明の枠組壁構造による建物の増築工法は、枠組壁構造による建物の増築工法であって、前記建物の既存の壁面に増築部と連通する開口部を設けるに際して、前記建物の増築部の地盤に追加の基礎を既存の基礎と連続させて打設し、前記追加の基礎上に少なくとも２つの鉛直部材を立設し、これらの鉛直部材間に水平部材を架設して支持させるとともに、該水平部材を前記建物の前記開口部となる部分の上部に固定してから、前記開口部を設けることを特徴とする。
【００１０】
ここで、前記追加の基礎の打設後に、該追加の基礎の上面に床パネル枠材を設置し、該床パネル枠材の上面に前記鉛直部材を立設するとよい。
【００１１】
また、前記鉛直部材は、袖壁パネル枠材であるとよい。
【００１２】
さらに、前記水平部材は、構造梁であるとよい。
【発明の効果】
【００１３】
このような本発明の枠組壁構造による建物の増築工法は、建物の既存の壁面に増築部と連通する開口部を設けるに際して、建物の増築部の地盤に追加の基礎を既存の基礎と連続させて打設し、追加の基礎上に少なくとも２つの鉛直部材を立設し、これらの鉛直部材間に水平部材を架設して支持させるとともに、水平部材を建物の開口部となる部分の上部に固定してから、前記開口部を設ける構成とされている。
【００１４】
こうした構成なので、鉛直部材で支持した水平部材により、建物の増築部の開口部となる部分の上部の荷重を支えることができるため、従来の建物の増築工法では対応できなかった枠組壁構造による建物の増築に対応することができる。
【００１５】
ここで、追加の基礎の打設後に、追加の基礎の上面に床パネル枠材を設置し、床パネル枠材の上面に鉛直部材を立設する場合は、増築部の床を簡易に施工できるうえに、水平部材が建物の増築部の上部の荷重を支えられるように、この水平部材を支持する鉛直部材をしっかりと容易に立設することができる。
【００１６】
また、鉛直部材が、袖壁パネル枠材である場合は、特に浴室を広げたり、収納スペースを設けるなどの比較的小さな空間の増築の際に、袖壁パネル枠材を後付けしなくてすみ、施工性がよい。
【００１７】
さらに、水平部材が、構造梁である場合は、この構造梁に接続して増築部の天井部分を耐久性や防水性を確保するように容易に設けることができ、施工性がよい。
【図面の簡単な説明】
【００１８】
【図１】実施例の枠組壁構造による建物の増築工法で増築した建物の概略構成を示す説明図である。
【図２】実施例の枠組壁構造による建物の増築工法の工程を示す説明図である。
【図３】実施例の枠組壁構造による建物の増築工法の工程を示す説明図である。
【図４】実施例の枠組壁構造による建物の増築工法の工程を示す説明図である。
【図５】実施例の枠組壁構造による建物の増築工法の工程を示す説明図である。
【図６】実施例の枠組壁構造による建物の増築工法の工程を示す説明図である。
【図７】実施例の枠組壁構造による建物の増築工法の工程を示す説明図である。
【図８】実施例の枠組壁構造による建物の増築工法の工程を示す説明図である。
【発明を実施するための形態】
【００１９】
以下、本発明を実施するための形態を、図面に示す実施例に基づいて説明する。
【実施例】
【００２０】
図１は、本実施例の枠組壁構造による建物の増築工法により増築を行った建物１の増築部２の周辺の概略構成を示している。
【００２１】
この建物１は、既存の基礎３の上に建てられた枠組壁構造による２階建ての建物本体１Ａと、建物本体１Ａの出隅部に突出した追加の基礎４上に建てられた１階建ての増築部本体２Ａとから主に構成されている。
【００２２】
ここで、増築部本体２Ａは、その正面に、窓サッシ５と換気扇６が設けられており、その上部には、建物本体１Ａの２階部分と連通するバルコニー７が設けられている。
【００２３】
次に、本実施例の枠組壁構造による建物の増築工法について説明する。
【００２４】
まず、建物１の増築部２の地盤に、図２に示したように、追加の基礎４を打設する。
【００２５】
ここで、この追加の基礎４の上面には、複数本のアンカーボルトを立設しておく。
【００２６】
続いて、建物本体１Ａと増築部本体２Ａとが連通する部分において、図３に示したように、窓サッシ５０と換気扇６０を取り払うとともに、１階の壁パネル１１の外装材１１ａを増築部本体２Ａが接続される部分だけ剥し、２階の壁パネル１２の外装材１２ａについても、増築部本体２Ａが接続される部分だけ、その下端部を剥す。
【００２７】
そして、追加の基礎４の上面に、複数のアンカーボルトへ固定して、床パネル枠材８を設置する。
【００２８】
続いて、２階の壁パネル１２の下端部に剥き出しになった２階の床枠材１２ｂに、図４に示したように、水平部材としての構造梁９を複数のボルト及びナットにより締結するとともに、この構造梁９を支持するように、鉛直部材としての袖壁パネル枠材１０，１０を、床パネル枠材８の両端部にそれぞれ立設する。
【００２９】
続いて、増築部本体２Ａが接続される部分の１階の壁パネル１１を、図５に示したように取り払い、開口部１３を形成する。
【００３０】
これにより、増築部２が接続される部分の建物１の２階以上の荷重は、構造梁９を介して、袖壁パネル枠材１０，１０によって支持される。
【００３１】
続いて、床パネル枠材８の正面側の端部に、図６に示したように、壁パネル枠材１４を立設する。
【００３２】
そして、袖壁パネル枠材１０，１０及び壁パネル枠材１４の上端部に複数のアンカーボルトを立設する。
【００３３】
続いて、床パネル枠材８及び袖壁パネル枠材１０，１０並びに壁パネル枠材１４の外側面に、図７に示したように、外面材１０ａ，１０ａ，１４ａ，・・・を、それぞれ釘を打ち付けるなどして取り付け固定する。
【００３４】
そして、屋根パネル枠材１５を、袖壁パネル枠材１０，１０及び壁パネル枠材１４の上端部に複数のアンカーボルトにより設置するとともに、構造梁９にも、複数のボルト及びナットにより固定する。
【００３５】
続いて、屋根パネル枠材１５の表面に、図８に示したように、屋根カバー部材１５ａを被せて取り付ける。
【００３６】
そして、外面材１０ａ，１０ａ，１４ａ，・・・及び屋根カバー部材１５ａのそれぞれの隙間を防水材１６，・・・で塞ぎ、防水処理を行う。
【００３７】
最後に、外面材１０ａ，１０ａ，１４ａ，・・・の表面に、外装材２ａを貼設し、窓サッシ５と換気扇６とを取り付け、屋根カバー部材１５ａの側面に手摺り部材７ａを取り付けてバルコニー７を形成し、増築部２の内装の施工を行うと、図１に示した増築部２を有する枠組壁構造による建物１の増築が完了する。
【００３８】
次に、本実施例の作用効果について説明する。
【００３９】
このような本実施例の枠組壁構造による建物の増築工法は、枠組壁構造による建物１の既存の壁面としての１階の壁パネル１１に増築部２と連通する開口部１３を設けるに際して、建物１の増築部２の地盤に追加の基礎４を既存の基礎３と連続させて打設し、追加の基礎４上に２つの鉛直部材としての袖壁パネル枠材１０，１０を立設し、これらの袖壁パネル枠材１０，１０間に水平部材としての構造梁９を架設して支持させるとともに、構造梁９を建物１の開口部１３となる部分の上部としての２階の床枠材１２ｂに固定してから、開口部１３を設け、建物１の増築を進める構成とされている。
【００４０】
こうした構成なので、鉛直部材としての袖壁パネル枠材１０，１０で支持した水平部材としての構造梁９により、建物１の増築部２の上部の荷重を支えることができるため、従来の建物の増築工法では対応できなかった枠組壁構造による建物１の増築に対応することができる。
【００４１】
ここで、追加の基礎４の打設後に、追加の基礎４の上面に床パネル枠材８を設置し、床パネル枠材８の上面に鉛直部材としての袖壁パネル枠材１０，１０を立設するので、増築部２の床を簡易に施工できるうえに、水平部材としての構造梁９が建物１の増築部２の上部の荷重を支えられるように、この構造梁９を支持する袖壁パネル枠材１０，１０をしっかりと容易に立設することができる。
【００４２】
また、鉛直部材が、袖壁パネル枠材１０，１０であるので、特に浴室を広げたり、収納スペースを設けるなどの比較的小さな空間の増築の際に、袖壁パネル枠材１０，１０を後付けしなくてすみ、施工性がよい。
【００４３】
さらに、水平部材が、構造梁９であるので、この構造梁９に接続して増築部２の天井部分を耐久性や防水性を確保するように容易に設けることができ、施工性がよい。
【００４４】
以上、図面を参照して、本発明を実施するための形態を実施例に基づいて詳述してきたが、具体的な構成は、上記した実施例に限らず、本発明の要旨を逸脱しない程度の設計的変更は、本発明に含まれる。
【００４５】
例えば、上記した実施例では、建物１の出隅部での増築を行ったが、これに限定されず、建物１の側面のいずれの箇所に実施してもよい。
【００４６】
また、上記した実施例では、小規模な空間を設ける増築を行ったが、これに限定されず、より規模の大きい増設を行うことに適用することもできる。
【００４７】
さらに、上記した実施例では、増築部２の上部にバルコニー７を設けて実施したが、これに限定されず、通常の屋根を設けて実施してもよい。
【符号の説明】
【００４８】
１      建物
２      増築部
３      既存の基礎
４      追加の基礎
８      床パネル枠材
９      構造梁（水平部材）
１０    袖壁パネル枠材（鉛直部材）
１２ｂ  ２階の床枠材（開口部となる部分の上部）
１３    開口部
【図１】
2010159598.tif 000003
【図２】
2010159598.tif 000004
【図３】
2010159598.tif 000005
【図４】
2010159598.tif 000006
【図５】
2010159598.tif 000007
【図６】
2010159598.tif 000008
【図７】
2010159598.tif 000009
【図８】
2010159598.tif 000010